(57)【特許請求の範囲】
【請求項１】
箱状のケーシング（10）に熱交換器（30）と第１送風機（51）と該第１送風機（51）の上方に配置された第２送風機（55）とが収納されている空気調和装置の室外機であって、
上記第１送風機（51）及び上記第２送風機（55）は、その回転軸方向から吸い込んだ空気を該回転軸に対して斜め方向又は直交方向へ吹き出すように構成され、
上記ケーシング（10）には、その正面に開口する吸込口（26）と、その上面に開口する上面吹出口（21）と、その左右の側面のうち上記第２送風機（55）から空気が下向きに吹き出される側に位置する側面に開口する側面吹出口（23）とが少なくとも形成され、
上記第１送風機（51）の吹出空気と上記第２送風機（55）の吹出空気とを個別に流す通路（61,62）を上記ケーシング（10）内に形成するための通路形成部材（70）を備える一方、
上記通路形成部材（70）には、上記第１送風機（51）と上記第２送風機（55）の間に位置する仕切り部（72）が設けられ、
上記仕切り部（72）の第１の端部（73）は、上記側面吹出口（23）の上下方向の中間部にまで延長されており、
上記通路形成部材（70）の仕切り部（72）には、第１の端部（73）に向かって上向きに傾斜する傾斜部（76）が形成されており、
上記傾斜部（76）は、上記仕切り部（72）の第１の端部（73）に向かって上記第２送風機（55）のファンロータ（52）から遠ざかっている空気調和装置の室外機。
【請求項２】
請求項１に記載の空気調和装置の室外機において、
通路形成部材（70）の仕切り部（72）には、第１の端部（73）とは反対側の第２の端部（74）へ向かって上向きに傾斜する傾斜部（79）が形成されている空気調和装置の室外機。
【請求項３】
請求項１又は２に記載の空気調和装置の室外機において、
第１送風機（51）から下方へ吹き出された空気を上方へ導く通路（64）をケーシング（10）の背面部（11）との間に形成するためのセパレータ板（46）が、上記第１送風機（51）の背面側に設けられている空気調和装置の室外機。
【請求項４】
請求項１，２又は３に記載の空気調和装置の室外機において、
第１送風機（51）及び第２送風機（55）として斜流ファンが用いられている空気調和装置の室外機。
【発明の詳細な説明】
【０００１】
【発明の属する技術分野】
本発明は、空気調和装置の室外機に関するものである。
【０００２】
【従来の技術】
従来より、空気調和装置としては、室外機と室内機を配管接続して構成される、いわゆるセパレート型のものが知られている。また、上記室外機としては、正面や側面から外気を吸い込んで背面へ排気する、水平吹き型のものが知られている。
【０００３】
この種の室外機は、水平方向へ空気を吹き出すことから、壁から離して設置しなければならない等、設置の際の制約が大きい。また、歩道などに面して室外機を設置すると、熱交換後の空気が歩行者に向けて吹き出されて不快感を与える場合もあり、この点でも設置時の制約が大きい。
【０００４】
このような点を考慮し、例えば特開２０００−１８６４９号公報に開示されているような上吹き型の室外機が提案されている。この種の室外機は、正面から空気を吸い込み、熱交換後の空気を上方へ吹き出している。具体的に、この上吹き型室外機では、上下に並んだ２つの斜流ファンが設けられると共に、ケーシングの内部に２つの通路が形成されている。そして、この室外機では、上方の斜流ファンの吹出空気が一方の通路を流れ、下方の斜流ファンの吹出空気が他方の通路を流れている。
【０００５】
【発明が解決しようとする課題】
しかしながら、上述した上吹き型の室外機では、ケーシングの上面にだけ吹出口を設けているため、室外機を小型に維持しようとすると吹出口の開口面積を充分に確保できなくなる。従って、この種の室外機では、ケーシング内の空気通路における通風抵抗が高くなり、ファンの送風能力を充分に発揮させることができなかった。特に、下方に配置されたファンについては、ケーシングの上面に開口する吹出口までの距離が長くなり、このファンの吹出空気が吹出口に至るまでの圧力損失が大きくなるため、充分な送風能力を発揮させられなかった。このため、上記の室外機では、ファンの送風量が不足して充分な空調能力を得ることがでないという問題があった。
【０００６】
また、従来の上吹き型室外機では、ケーシング内での通風抵抗が大きく、空気通路における空気流の乱れが増加して送風音の増大を招くという問題もあった。特に、下方に配置されたファンファンから下向きに吹き出された空気は、上方の吹出口へ向けて流れにくい。このため、下方のファンの周方向における圧力分布が大きくなり、これによっても送風音が増大していた。
【０００７】
本発明は、かかる点に鑑みてなされたものであり、その目的とするところは、熱交換後の空気を上方へも吹き出し可能な室外機について、そのケーシング内における通風抵抗を低減し、送風量を確保して充分な空調能力を発揮させると同時に、送風音の低減を図ることにある。
【０００８】
【課題を解決するための手段】
本発明が講じた第１の解決手段は、箱状のケーシング（10）に熱交換器（30）と第１送風機（51）と該第１送風機（51）の上方に配置された第２送風機（55）とが収納されている空気調和装置の室外機を対象とする。そして、上記第１送風機（51）及び上記第２送風機（55）は、その回転軸方向から吸い込んだ空気を該回転軸に対して斜め方向又は直交方向へ吹き出すように構成され、上記ケーシング（10）には、その正面に開口する吸込口（26）と、その上面に開口する上面吹出口（21）と、その左右の側面のうち上記第２送風機（55）から空気が下向きに吹き出される側に位置する側面に開口する側面吹出口（23）とが少なくとも形成され、上記第１送風機（51）の吹出空気と上記第２送風機（55）の吹出空気とを個別に流す通路（61,62）を上記ケーシング（10）内に形成するための通路形成部材（70）を備える一方、上記通路形成部材（70）には、上記第１送風機（51）と上記第２送風機（55）の間に位置する仕切り部（72）が設けられ、上記仕切り部（72）の第１の端部（73）は、上記側面吹出口（23）の上下方向の中間部にまで延長され、上記通路形成部材（70）の仕切り部（72）には、第１の端部（73）に向かって上向きに傾斜する傾斜部（76）が形成されており、 上記傾斜部（76）は、上記仕切り部（72）の第１の端部（73）に向かって上記第２送風機（55）のファンロータ（52）から遠ざかっているものである。
【０００９】
本発明が講じた第２の解決手段は、上記第１の解決手段において、通路形成部材（70）の仕切り部（72）には、第１の端部（73）とは反対側の第２の端部（74）へ向かって上向きに傾斜する傾斜部（79）が形成されるものである。
【００１０】
本発明が講じた第３の解決手段は、上記第１又は第２の解決手段において、第１送風機（51）から下方へ吹き出された空気を上方へ導く通路（64）をケーシング（10）の背面部（11）との間に形成するためのセパレータ板（46）が、上記第１送風機（51）の背面側に設けられるものである。
【００１１】
本発明が講じた第４の解決手段は、上記第１，第２又は第３の解決手段において、第１送風機（51）及び第２送風機（55）として斜流ファンが用いられるものである。
【００１２】
−作用−
上記第１の解決手段では、ケーシング（10）に熱交換器（30）や送風機（51,55）を収納して空気調和装置の室外機が構成される。送風機（51,55）を運転すると、吸込口（26）を通ってケーシング（10）内に室外空気が取り込まれる。この室外空気は、熱交換器（30）で冷媒と熱交換した後に、上面吹出口（21）や側面吹出口（23）を通ってケーシング（10）から排出される。
【００１３】
上記第１の解決手段において、第１及び第２送風機（51,55）は、軸方向と直交する方向へ空気を吹き出すもの（例えば遠心ファン）、又は軸方向に対して斜め方向へ空気を吹き出すもの（例えば斜流ファン）を構成している。つまり、これらの解決手段において、送風機（51,55）に吸い込まれた空気は、送風機（51,55）の軸方向に対して流れ方向が曲げられた後に吹き出される。
【００１４】
また、上記第１の解決手段では、ケーシング（10）内に通路形成部材（70）が設置される。この通路形成部材（70）は、ケーシング（10）内を仕切って２つの通路（61,62）を形成するためのものである。特に、通路形成部材（70）の仕切り部（72）は、第１送風機（51）と第２送風機（55）の間を区分している。そして、ケーシング（10）内に形成された通路（61,62）のうち、一方の通路（61）では第１送風機（51）から吹き出された空気だけが流れ、他方の通路（62）では第２送風機（55）から吹き出された空気だけが流れる。
【００１５】
上記第１の解決手段において、通路形成部材（70）の仕切り部（72）は、その第１の端部（73）が側面吹出口（23）にまで延長されるような、所定の形状に形成されている。つまり、本解決手段では、仕切り部（72）の第１の端部（73）が側面吹出口（23）の上下方向の中間部にまで延長されている。このため、第２送風機（55）から下向きに吹き出された空気は、仕切り部（72）によって側面吹出口（23）へ導かれ、第１送風機（51）から吹き出された空気の流れに影響を及ぼすことなくケーシング（10）から排出される。
【００１６】
更に、本解決手段では、仕切り部（72）の第１の端部（73）が側面吹出口（23）に位置している。従って、側面吹出口（23）において、仕切り部（72）の上側では第２送風機（55）の吹出空気が通過する一方、仕切り部（72）の下側では第１送風機（51）の吹出空気が通過する。つまり、第１送風機（51）からの吹出空気は、第２送風機（55）から下向きに吹き出された空気の流れに影響されることなく、側面吹出口（23）へと導かれてケーシング（10）から排出される。
【００１７】
また、この第１の解決手段では、通路形成部材（70）の仕切り部（72）に傾斜部（76）が形成される。この傾斜部（76）は、第２送風機（55）の下方から第１の端部（73）へ向けて延び、第１の端部（73）に向かって上方へ傾斜するように形成されている。尚、傾斜部（76）については、水平面に対して一定の傾斜角をなす平面で構成してもよく、この傾斜角が第１の端部（73）へ向かうに従って連続的に増加する曲面で構成してもよい。また、この傾斜角が第１の端部（73）へ向かうに従って段階的に増加するように傾斜部（76）を形成し、傾斜部（76）の断面が折れ線を描くようにしてもよい。
【００１８】
第２送風機（55）から下向きに吹き出された空気は、その流れの向きが傾斜部（76）によって斜め上向きに変更される。傾斜部（76）によって斜め上方へ導かれた空気は、側面吹出口（23）における仕切り部（72）の上側部分を通過してケーシング（10）の外へ排気される。更に、第１送風機（51）から吹き出されて側面吹出口（23）へ向かう空気の流れもまた、傾斜部（76）によって斜め上方へ導かれる。この斜め上方へ向けて流れる第１送風機（51）の吹出空気は、側面吹出口（23）における仕切り部（72）の下側部分を通過してケーシング（10）の外へ排気される。
【００１９】
上記第２の解決手段では、通路形成部材（70）の仕切り部（72）に傾斜部（79）が形成される。この傾斜部（79）は、第２送風機（55）の下方から第２の端部（74）へ向けて延び、第２の端部（74）に向かって上方へ傾斜するように形成されている。尚、傾斜部（79）については、水平面に対して一定の傾斜角をなす平面で構成してもよく、この傾斜角が第２の端部（74）へ向かうに従って連続的に増加する曲面で構成してもよい。また、この傾斜角が第２の端部（74）へ向かうに従って段階的に増加するように傾斜部（79）を形成し、傾斜部（79）の断面が折れ線を描くようにしてもよい。
【００２０】
仕切り部（72）の第１の端部（73）側では第２送風機（55）から空気が下向きに吹き出されているのに対し、仕切り部（72）の第２の端部（74）側では第２送風機（55）から空気が上向きに吹き出されている。そして、第２送風機（55）から空気が上向きに吹き出された空気は、第２の端部（74）へ向かって傾斜する傾斜部（79）によって案内され、斜め上方へ向かってスムーズに流される。また、第１送風機（51）から吹き出されて上方へ流れる空気も、仕切り部（72）の傾斜部（79）によって案内され、斜め上方へ向かってスムーズに流される。
【００２１】
上記第３の解決手段では、下方に位置する第１送風機（51）の背面側にセパレータ板（46）が設けられる。ケーシング（10）の背面部（11）とセパレータ板（46）の間には、空気の通路（64）が形成される。つまり、この通路（64）と第１送風機（51）の間は、セパレータ板（46）で仕切られている。第１送風機（51）から下向きに吹き出された空気は、ケーシング（10）の背面部（11）とセパレータ板（46）に挟まれた通路（64）を通って上方へ導かれる。その際、この通路（64）はセパレータ板（46）で第１送風機（51）と仕切られている。従って、この通路（64）では、第１送風機（51）の吹出空気流の影響を受けることなく空気が流通する。
【００２２】
上記第４の解決手段において、第１送風機（51）と第２送風機（55）は、共に斜流ファンにより構成されている。従って、第１，第２送風機（51,55）からは、その回転軸に対して斜め方向に空気が吹き出される。
【００２３】
【発明の効果】
本発明では、従来の上吹き型室外機とは異なり、上面吹出口（21）だけでなく側面吹出口（23）をもケーシング（10）に開口させている。このため、ケーシング（10）における吹出口（21,23）の開口面積を充分に確保でき、ケーシング（10）の内部における通風抵抗を低減できる。従って、本発明によれば、第１及び第２送風機（51,55）の送風能力を充分に発揮させることができ、送風量を確保して室外機の空調能力を最大限発揮させることができる。
【００２４】
また、本発明では、通路形成部材（70）の仕切り部（72）を、その第１の端部（73）がケーシング（10）の側面吹出口（23）の上下方向の中間部にまで延長されるように形成している。従って、本発明によれば、第２送風機（55）から下向きに空気が吹き出される箇所においても、第２送風機（55）からの吹出空気流の影響を受けることなく、第１送風機（51）からの吹出空気をスムーズに側面吹出口（23）へ導くことが可能となる。このため、従来は充分な送風能力を発揮させるのが困難であった第１送風機（51）についても、その送風能力を充分に発揮させることが可能となり、この点でも送風量を確保して室外機の空調能力を向上させることができる。
【００２５】
また、本発明によれば、第１送風機（51）からの吹出空気をスムーズに側面吹出口（23）へ導くことが可能であり、第１送風機（51）の周方向における圧力分布を小さくできる。このため、第１送風機（51）の周方向での圧力を均一化でき、第１送風機（51）周辺での圧力分布に起因する送風音を低減できる。
【００２６】
また、本発明では、通路形成部材（70）の仕切り部（72）に傾斜部（76）を形成し、この傾斜部（76）によって第１及び第２送風機（51,55）の吹出空気を斜め上方へ案内している。このため、仕切り部（72）の第１の端部（73）が側面吹出口（23）にまで延長されていることと相まって、側面吹出口（23）を通過する第１，第２送風機（51,55）の吹出空気の流れ方向を、何れも斜め上向きとすることができる。つまり、側面吹出口（23）からは、仕切り部（72）の上側と下側の何れの部分においても、空気が斜め上方へ向けて吹き出される。従って、本解決手段によれば、側面吹出口（23）から吹き出された空気流が互いに干渉するのを防止でき、流れの相互干渉に起因する乱れを削減して送風音の低減を図ることが可能となる。
【００２７】
上記第２の解決手段では、通路形成部材（70）の仕切り部（72）に傾斜部（79）を形成し、この傾斜部（79）によって第１及び第２送風機（51,55）の吹出空気を斜め上方へ案内している。従って、本解決手段によれば、仕切り部（72）の第１の端部（73）とは反対側の箇所において、第１及び第２送風機（51,55）の吹出空気を斜め上方へ案内して、ケーシング（10）の内部における通風抵抗を低減することができる。
【００２８】
上記第３の解決手段によれば、下方に配置された第１送風機（51）の吹出空気を、ケーシング（10）の背面部（11）とセパレータ板（46）とで形成された通路（64）によって、スムーズに上方へ案内することができる。従って、本解決手段によれば、第１送風機（51）の送風量を更に増大させることができ、室外機における送風量を充分に確保することが可能となる。
【００２９】
【発明の実施の形態１】
以下、本発明の実施形態を図面に基づいて詳細に説明する。
【００３０】
図１に示すように、本実施形態１に係る空気調和装置の室外機は、熱交換器（30）や第１送風機（51）、第２送風機（55）などをケーシング（10）に収納したものであって、全体として直方体状に形成されている。尚、図１は、室外機を背面側の斜め上方から見た状態を示している。
【００３１】
上記室外機は、直方体状の箱体であるケーシング（10）を備えている。このケーシング（10）は、奥行きの短い扁平で縦長の直方体状に形成されている。ケーシング（10）の背面部（11）には、図示しないが、上下に延びる補強用の凹溝が多数形成されている。また、ケーシング（10）の底部には、一対の据付脚（13）が設けられている。
【００３２】
上記ケーシング（10）の上面部（14）には、上面吹出口（21）が開口している。また、図３にも示すように、上記ケーシング（10）には、その一方の側面部（15）に第１側面吹出口（23）が開口し、他方の側面部（15）に第２側面吹出口（25）が開口している。
【００３３】
上面吹出口（21）は、その長辺がケーシング（10）の横幅よりも僅かに短く、その短辺がケーシング（10）の奥行きよりもやや短い長方形状に形成されている。また、上面吹出口（21）には、その全面を覆う格子状の吹出グリル（22）が設けられている。
【００３４】
第１側面吹出口（23）は、ケーシング（10）の背面側から見て左側の側面部（15）の上端寄りに開口している。この第１側面吹出口（23）は、その長辺がケーシング（10）の高さの約１/３程度で、その短辺がケーシング（10）の奥行きよりもやや短い長方形状に形成されている。また、第１側面吹出口（23）には、その全面を覆う吹出ルーバ（24）が設けられている。
【００３５】
第２側面吹出口（25）は、ケーシング（10）の背面側から見て右側の側面部（15）の上端寄りに開口している。この第２側面吹出口（25）は、その長辺がケーシング（10）の高さの約１/４程度で、その短辺がケーシング（10）の奥行きよりもやや短い長方形状に形成されている。また、第２側面吹出口（25）には、第１側面吹出口（23）と同様に、その全面を覆う吹出ルーバ（24）が設けられている。
【００３６】
図２に示すように、ケーシング（10）の正面部（16）には、吸込口（26）が開口している。この吸込口（26）は、ケーシング（10）の正面部（16）よりも僅かに小さい縦長の長方形状に形成されている。
【００３７】
上記ケーシング（10）の内部には、仕切板（41）が設けられている。仕切板（41）は、ケーシング（10）の奥行き方向の中央よりもやや正面部（16）寄りの位置に立設されている。この仕切板（41）によって、ケーシング（10）の内部空間が正面側と背面側とに区画される。
【００３８】
仕切板（41）で区画された正面側の空間は、上流室（42）を構成している。この上流室（42）は、吸込口（26）によってケーシング（10）の外部と連通されている。一方、仕切板（41）で区画された背面側の空間は、下流室（43）を構成している。この下流室（43）は、上面吹出口（21）、第１側面吹出口（23）、及び第２側面吹出口（25）によってケーシング（10）の外部と連通されている。
【００３９】
上記仕切板（41）は、その概ね下半分がケーシング（10）の背面側へ膨出した形状となっている。この仕切板（41）には、その下部に第１送風機（51）用のベルマウス（44）が取り付けられ、その上部に第２送風機（55）用のベルマウス（44）が取り付けられている。これら２つのベルマウス（44）は、それぞれが円形の開口部（45）を形成している。仕切板（41）で仕切られた上流室（42）と下流室（43）とは、この開口部（45）を通じて互いに連通されている。
【００４０】
上記ケーシング（10）内の上流室（42）には、熱交換器（30）が設けられている。熱交換器（30）は、所定ピッチで並んだ多数のフィン（31）と、これらフィン（31）を貫通する伝熱管（32）とを備え、いわゆるクロスフィン型のフィン・アンド・チューブ熱交換器を構成している。また、熱交換器（30）は、全体として縦長の平板状に形成されている。この熱交換器（30）は、ケーシング（10）の内部において、その正面部（16）の内面に沿って立設されている。また、熱交換器（30）は、正面部（16）に開口する吸込口（26）の全面に亘って設けられている。
【００４１】
第１送風機（51）及び第２送風機（55）は、斜流ファンを構成している。各送風機（51,55）は、ファンロータ（52）と、これを駆動するファンモータ（53）とを１つずつ備えいる。各送風機（51,55）のファンモータ（53）は、取付ステー（54）によって固定されている。この状態で、各送風機（51,55）の回転軸は、ほぼ水平姿勢となっている。尚、本実施形態では送風機（51,55）として斜流ファンを用いているが、これに代えてターボファンやラジアルファン等の遠心ファンを用いてもよい。
【００４２】
図３にも示すように、ケーシング（10）内において、第１送風機（51）と第２送風機（55）とは、上下に並んで配置されている。その際、第１送風機（51）の上方に第２送風機（55）が設置されている各送風機（51,55）は、それぞれの回転軸が同一鉛直線上に並ぶ姿勢となっている。また、第１送風機（51）は、第２送風機（55）よりもケーシング（10）の背面部（11）寄りに設置されている。
【００４３】
第１送風機（51）は、仕切板（41）の下部に取り付けられたベルマウス（44）と同軸に設置される一方、第２送風機（55）は、仕切板（41）の上部に取り付けられたベルマウス（44）と同軸に設置されている。第１，第２送風機（51,55）は、上流室（42）から吸い込んだ空気を下流室（43）へ吹き出す。つまり、上流室（42）が第１，第２送風機（51,55）の吸込側となり、下流室（43）が第１，第２送風機（51,55）の吹出側となる。
【００４４】
上記ケーシング（10）内の下流室（43）には、セパレータ板（46）が設けられている（図１，図２を参照）。セパレータ板（46）は、ファンロータ（52）よりも一回り大きな正方形状の薄板であって、第１送風機（51）の背面側に配置されている。また、セパレータ板（46）は、ケーシング（10）の背面部（11）に沿って、該背面部（11）に取り付けられている。セパレータ板（46）をケーシング（10）の背面部（11）に取り付けた状態で、両者の間隔は約４０mm程度となっている。セパレータ板（46）の下端には、半円弧部（47）が設けられている。この半円弧部（47）は、仕切板（41）の方へ半円弧状に膨出しており、セパレータ板（46）の全幅に亘って形成されている。
【００４５】
下流室（43）には、セパレータ板（46）によって主空気通路（63）と副空気通路（64）とが区画されている。主空気通路（63）は、仕切板（41）とセパレータ板（46）の間に形成されている。副空気通路（64）は、ケーシング（10）の背面部（11）とセパレータ板（46）の間に形成されている。
【００４６】
下流室（43）には、更に通路形成板（70）が設けられている。この通路形成板（70）は、背面区画部（71）とエアガイド部（72）とを備えている。そして、通路形成板（70）は、仕切板（41）に取り付けられており、第２送風機（55）の背面側と下方側とを囲っている。
【００４７】
上記背面区画部（71）は、ファンロータ（52）よりも一回り大きな四角形状の薄板であって、第２送風機（55）の背面側に配置されている。ただし、背面区画部（71）の下端部は、仕切板（41）へ向かってやや傾斜している。この背面区画部（71）は、ケーシング（10）の背面部（11）や仕切板（41）と概ね並行に設置されている。背面区画部（71）を仕切板（41）に取り付けた状態で、ケーシング（10）の背面部（11）と背面区画部（71）の間隔は約１００mm程度となっている。
【００４８】
上記エアガイド部（72）は、第２送風機（55）のファンロータ（52）に沿うように薄板を折り曲げて形成され、第２送風機（55）の下方に配置されている。このエアガイド部（72）は、その一方の側部が背面区画部（71）の下端に連続し、他方の側部が仕切板（41）に当接している。つまり、エアガイド部（72）は、第１送風機（51）と第２送風機（55）の間に設けられる仕切り部を構成している。
【００４９】
上記エアガイド部（72）は、図３における左端が第１の端部（73）となり、同図における右端が第２の端部（74）となっている。そして、エアガイド部（72）の第１の端部（73）は、第１側面吹出口（23）にまで延長されている。つまり、エアガイド部（72）の第１の端部（73）は、第１側面吹出口（23）における上下方向の中間部に位置している。
【００５０】
上記エアガイド部（72）には、平坦部（75）と、第１傾斜部（76）と、第２傾斜部（79）とが形成されている。図３に現れる断面において、第１傾斜部（76）は平坦部（75）の左端から第１の端部（73）へ向かって上方へ傾斜し、第２傾斜部（79）は平坦部（75）の右端から第２の端部（74）へ向かって上方へ傾斜している。更に、第１傾斜部（76）には、急傾斜部（77）と緩傾斜部（78）とが形成されている。図３に現れる断面において、第１傾斜部（76）の概ね右半分が緩傾斜部（78）を構成し、第１傾斜部（76）の概ね左半分が急傾斜部（77）を構成している。そして、急傾斜部（77）の左端が、エアガイド部（72）の第１の端部（73）となっている。
【００５１】
上記エアガイド部（72）の形状について、図４を参照しながら具体的に説明する。この図４は、図３の一部分だけを図示したものである。第２送風機（55）のファンロータ（52）の回転軸を通る鉛直線を基準に説明すると、平坦部（75）は、その左端が上記鉛直線よりも距離Ｌ1＝７０mmだけ左側に位置し、その右端が上記鉛直線よりも距離Ｌ2＝１４０mmだけ右側に位置している。また、緩傾斜部（78）の左端、即ち急傾斜部（77）の右端は、上記の鉛直線よりも距離Ｌ3＝２００mmだけ左側に位置している。更に、急傾斜部（77）と緩傾斜部（78）のなす角度θ1は１５０°となり、緩傾斜部（78）と平坦部（75）のなす角度θ2は１６０°となり、平坦部（75）と第２傾斜部（79）のなす角度θ3は１６０°となっている。
【００５２】
尚、本実施形態において、第２送風機（55）におけるファンロータ（52）の回転軸は、図３及び図４におけるケーシング（10）の左側の側面部（15）から距離Ｌ4＝３３５mmだけ離れている。また、上記ファンロータ（52）の外径は、５００mmとなっている。
【００５３】
上記通路形成板（70）は、下流室（43）の概ね上半分において、第１空気通路（61）と第２空気通路（62）とを区画形成している（図２参照）。第１空気通路（61）は、ケーシング（10）の背面部（11）と背面区画部（71）の間に形成されている。第２空気通路（62）は、背面区画部（71）と仕切板（41）の間に、背面区画部（71）、エアガイド部（72）、及び仕切板（41）に囲われて形成されている。このように、通路形成板（70）は、第１空気通路（61）及び第２空気通路（62）を形成するための通路形成部材を構成している。
【００５４】
ケーシング（10）内の下流室（43）には、圧縮機（33）やレシーバ（34）等の機器が収納されている（図３参照）。これら圧縮機（33）等の機器は、ケーシング（10）の背面側から見て右側の側面部（15）に沿って配置されている。例えば、圧縮機（33）やレシーバ（34）は、ケーシング（10）の底に載置されている。また、制御用のマイコンや動力用の回路を含む電装基板（35）は、圧縮機（33）の上方に配置されている。更に、下流室（43）における圧縮機（33）等の近傍には、冷媒の配管も設置されている。
【００５５】
−運転動作−
上記室外機の運転動作について、図５を参照しながら説明する。この図５は、室外機の構成を模式的に図示したものであって、その側面図が図２に相当し、その背面図が図３に相当している。
【００５６】
第１，第２送風機（51,55）のファンモータ（53）に通電すると、各送風機（51,55）のファンロータ（52）が、ケーシング（10）の背面側から見て反時計方向に回転する。このように第１，第２送風機（51,55）を運転すると、室外空気が吸込口（26）を通ってケーシング（10）内の上流室（42）へ流れ込む。この空気は、熱交換器（30）の各フィン（31）の間を通過し、その間に伝熱管（32）内の冷媒と熱交換する。尚、熱交換器（30）は、冷房運転時に凝縮器となり、暖房運転時に蒸発器となる。
【００５７】
熱交換器（30）の上部を通過した空気は、第２送風機（55）に吸引されて下流室（43）へ吹き出される。第２送風機（55）から吹き出された空気は、主に第２空気通路（62）を流れ、上面吹出口（21）や第１，第２側面吹出口（23,25）を通ってケーシング（10）の外へ吹き出される。
【００５８】
その際、第２送風機（55）の第１側面吹出口（23）寄りの部分からは、空気が下向きに吹き出される（図５の背面図を参照）。この下向きの空気流は、主にエアガイド部（72）の急傾斜部（77）によって案内されて、流れの方向が上向きに変えられる。そして、急傾斜部（77）により案内された空気は、第１側面吹出口（23）におけるエアガイド部（72）の上側を通って斜め上方へ送り出される。
【００５９】
また、第２送風機（55）の下部からは、図５の背面図における右側へ向けて空気が吹き出される。この右向きの空気流は、主にエアガイド部（72）の第２傾斜部（79）によって案内されて、流れの方向が上向きに変えられる。そして、第２傾斜部（79）により案内された空気は、同図における右上方向へ流れ、第２側面吹出口（25）や上面吹出口（21）を通ってケーシング（10）の外へ排出される。
【００６０】
一方、熱交換器（30）の下部を通過した空気は、第１送風機（51）に吸引されて下流室（43）へ吹き出される。第１送風機（51）から吹き出された空気は、主空気通路（63）や副空気通路（64）、更には第１空気通路（61）を流れ、上面吹出口（21）や第１，第２側面吹出口（23,25）を通ってケーシング（10）の外へ吹き出される。
【００６１】
その際、第１送風機（51）から上方へ吹き出された空気は、図５の側面図に示すように、主空気通路（63）から第１空気通路（61）へ流入し、主に上面吹出口（21）を通ってケーシング（10）の外へ吹き出される。一方、第１送風機（51）から下方へ吹き出された空気は、同図に示すように、流れの向きを変えて主空気通路（63）から副空気通路（64）へ流入する。副空気通路（64）では、空気が上方へ向かって流れる。副空気通路（64）から出た空気は、第１空気通路（61）を流れる空気と合流し、主に上面吹出口（21）からケーシング（10）の外へ吹き出される。
【００６２】
また、図５の側面図における第１送風機（51）の左側の部分からは、空気が下向きに吹き出される。この下向きの空気流によって、同図における下流室（43）の左下隅部には、他の場所よりも圧力の高い高圧部（90）が形成される。そして、同図における下流室（43）の左側部では、この高圧部（90）から上方の第１側面吹出口（23）へ向かう空気の流れ（91）が、仕切板（41）の近傍に形成される。
【００６３】
この高圧部（90）から上方へ向かう空気の流れ（91）は、エアガイド部（72）の第１傾斜部（76）、特に急傾斜部（77）によって案内されて、流れの方向が斜め上向きに変えられる。第１傾斜部（76）により案内された空気は、第１側面吹出口（23）におけるエアガイド部（72）の下側を通って斜め上方へ送り出される。
【００６４】
上述のように、図５の側面図における第２送風機（55）の左側の部分からは、空気が下向きに吹き出されている。そして、第２送風機（55）からの下向きの空気流は、エアガイド部（72）の第１傾斜部（76）によって遮られている。従って、高圧部（90）から上方へ向かう空気の流れ（91）は、第２送風機（55）からの空気流の影響を受けることなく、第１側面吹出口（23）へと導かれる。
【００６５】
このように、第１送風機（51）から吹き出された空気は主に第１空気通路（61）を流れ、第２送風機（55）から吹き出された空気は主に第２空気通路（62）を流れる。つまり、各送風機（51,55）から吹き出された空気は、エアガイド部（72）や背面区画部（71）で仕切られた通路を流れることで、その流れが互いに干渉することもなく、吹出口（21,23,25）へ向かってスムーズに導かれる。
【００６６】
−実施形態１の効果−
本実施形態１の室外機では、従来の上吹き型室外機とは異なり、上面吹出口（21）だけでなく側面吹出口（23,25）をもケーシング（10）に開口させている。このため、ケーシング（10）における吹出口（21,23,25）の開口面積を充分に確保でき、ケーシング（10）の内部における通風抵抗を低減できる。従って、本実施形態１によれば、第１及び第２送風機（51,55）の送風能力を充分に発揮させることができ、送風量を確保して室外機の空調能力を確実に発揮させることができる。
【００６７】
また、本実施形態１では、通路形成板（70）におけるエアガイド部（72）の第１の端部（73）を、第１側面吹出口（23）の上下中間部にまで延長している。このため、第２送風機（55）から下向きに空気が吹き出される第１側面吹出口（23）付近においても、この下向きの空気流の影響を受けることなく、第１送風機（51）から第１側面吹出口（23）へ向かう空気をスムーズに流すことができる。その結果、第１送風機（51）からの吹出空気を、第１側面吹出口（23）へスムーズに導くことが可能となる。従って、本実施形態１によれば、従来は充分な送風能力を発揮させるのが困難であった第１送風機（51）についても、その送風能力を充分に発揮させることが可能となり、この点でも送風量を確保して室外機の空調能力を向上させることができる。
【００６８】
更に、本実施形態１によれば、第１送風機（51）からの吹出空気をスムーズに第１側面吹出口（23）へ導くことが可能なため、第１送風機（51）の周方向における圧力分布を小さくできる。つまり、図５の側面図における下流室（43）の左下隅部には高圧部（90）が形成されるものの、この高圧部（90）の圧力を従来よりも低く抑えることができる。従って、本実施形態１によれば、第１送風機（51）の周方向での圧力を均一化でき、第１送風機（51）周辺での圧力分布に起因する送風音を低減できる。
【００６９】
また、本実施形態１では、通路形成板（70）のエアガイド部（72）に第１傾斜部（76）を形成し、この第１傾斜部（76）によって第１及び第２送風機（51,55）の吹出空気を斜め上方へ案内している。このため、エアガイド部（72）の第１の端部（73）が第１側面吹出口（23）にまで延長されていることと相まって、第１側面吹出口（23）を通過する第１，第２送風機（51,55）の吹出空気の流れ方向を、何れも斜め上向きとすることができる。つまり、第１側面吹出口（23）からは、エアガイド部（72）の上側と下側の何れの部分においても、空気が斜め上方へ向けて吹き出される。従って、本実施形態１によれば、第１側面吹出口（23）から吹き出された空気流が互いに干渉するのを防止でき、流れの相互干渉に起因する乱れを削減して送風音の低減を図ることが可能となる。
【００７０】
また、本実施形態１では、通路形成板（70）のエアガイド部（72）に第２傾斜部（79）を形成し、この第２傾斜部（79）によって第１及び第２送風機（51,55）の吹出空気を斜め上方へ案内している。従って、本実施形態１によれば、エアガイド部（72）の第２の端部（74）付近において、第１及び第２送風機（51,55）の吹出空気を斜め上方へ案内して、ケーシング（10）の内部における通風抵抗を低減することができる。
【００７１】
また、本実施形態１によれば、下方に配置された第１送風機（51）の吹出空気を、ケーシング（10）の背面部（11）とセパレータ板（46）とで形成された副空気通路（64）によって、スムーズに上方へ案内することができる。従って、本実施形態１によれば、第１送風機（51）の送風量を更に増大させることができ、室外機における送風量を充分に確保することが可能となる。
【００７２】
【発明の実施の形態２】
本発明の実施形態２は、上記実施形態１の室外機において、その構成の一部を変更したものである。ここでは、本実施形態２について、図６〜図８を参照しながら、上記実施形態１と異なる点を説明する。
【００７３】
図６に示すように、本実施形態２のケーシング（10）では、その背面側から見て右側の側面部（15）に吹出口が形成されていない。つまり、本実施形態２において、上記実施形態１における第２側面吹出口（25）は形成されおらず、ケーシング（10）の背面側から見て左側の側面部（15）にだけ第１側面吹出口（23）が形成されている。
【００７４】
図７にも示すように、本実施形態２の第１側面吹出口（23）は、その開口面積が上記実施形態１のものよりも拡大されている。具体的に、この第１側面吹出口（23）は、その長辺がケーシング（10）の高さの約２/３程度とされている。
【００７５】
本実施形態２の仕切板（41）は、その全体が平板状に形成されている。つまり、この仕切板（41）は、実施形態１のものとは異なり、その上部から下部に亘る全体が１つの平面を形成している。そして、本実施形態２では、第１送風機（51）と第２送風機（55）が同一平面上に設置されている（図７参照）。即ち、本実施形態２の第１送風機（51）は、実施形態１のように第２送風機（55）よりもケーシング（10）の背面部（11）側へオフセットされておらず、各送風機（51,55）と背面部（11）との距離は等しくなっている。
【００７６】
図８にも示すように、本実施形態２のエアガイド部（72）は、その第２傾斜部（79）が図８における右斜め上方へ延長されており、その第２の端部（74）が上面吹出口（21）の近傍に位置している。また、このエアガイド部（72）の第２傾斜部（79）は、傾斜の異なる３つの斜面によって構成されている。
【００７７】
また、本実施形態２では、エアガイド部（72）の形状を変更したことに伴い、上記実施形態１よりも背面区画部（71）を大型に形成している（図６参照）。つまり、本実施形態２の背面区画部（71）は、上記実施形態１のものよりもケーシング（10）の背面側から見て右側へ拡大されており、延長された第２傾斜部（79）の全長に亘って連続するような形状とされている。
【００７８】
本実施形態２のケーシング（10）内には、圧縮機（33）やレシーバ（34）等の周りを囲う遮蔽板（81）が設けられている。つまり、本実施形態２では、遮蔽板（81）によってケーシング（10）内に閉空間の機械室（82）が区画され、この機械室（82）に圧縮機（33）やレシーバ（34）等が収納される。そして、遮蔽板（81）は、送風機（51,55）から吹き出された空気流を遮り、吹出空気が圧縮機（33）等へ直接に吹きつけられるのを防止する。
【００７９】
また、本実施形態２において、電装基板（35）は、ケーシング（10）の側面部（15）に沿って、その上部に設置されている。つまり、この電装基板（35）は、側面部（15）のうち上記実施形態１では第２側面吹出口（25）が開口していた箇所に沿って配置されている。
【００８０】
本実施形態２の室外機において、第１送風機（51）の吹出空気と第２送風機（55）の吹出空気とは、殆ど混合することなく別々に吹出口（21,23）へ向けて流れる。つまり、第２送風機（55）から吹き出された空気は、通路形成板（70）と仕切板（41）で囲われた第２空気通路（62）を流れ、上面吹出口（21）や第１側面吹出口（23）からケーシング（10）の外部へ吹き出される。一方、第１送風機（51）から吹き出された空気は、第１空気通路（61）を流れて上面吹出口（21）や第１側面吹出口（23）からケーシング（10）の外部へ吹き出される。また、本実施形態２では、第１側面吹出口（23）を上下方向に拡大しているため、第１送風機（51）の吹出空気のうちの比較的多くが、第１側面吹出口（23）を通過してケーシング（10）の外部へ排出される。
【００８１】
−実施形態２の変形例−
本実施形態２では、第２送風機（55）のファンロータ（52）を上記実施形態１と同じ方向（図８における反時計方向）へ回転させているが、これに代えて次のようにしてもよい。
【００８２】
つまり、第２送風機（55）のファンロータ（52）の形状を変更し、このファンロータ（52）を図８における時計方向へ回転させてもよい。この場合、第２送風機（55）からは、その図８における右側において空気が下向きに吹き出される。この下向きに流れる空気は、エアガイド部（72）の第２傾斜部（79）によって案内されて、その流れ方向が上向きに変更される。また、エアガイド部（72）の第２傾斜部（79）の下方では、第１送風機（51）から吹き出された空気が、第２送風機（55）から吹き出された空気の影響を受けることなく流通する。
【００８３】
尚、本変形例において、エアガイド部（72）の第１の端部（73）付近では、第２送風機（55）から空気が上向きに吹き出される。従って、本変形例において、エアガイド部（72）の第１の端部（73）を第１側面吹出口（23）にまで延長する必要はない。これは、第１の端部（73）を第１側面吹出口（23）まで達していなくても、第１送風機（51）から第１側面吹出口（23）へ向かう空気の流れが第２送風機（55）からの空気流によって阻害されることはないからである。
【００８４】
【発明のその他の実施の形態】
上記実施形態では、薄板を折り曲げてエアガイド部（72）を形成し、このエアガイド部（72）に平坦部（75）、第１傾斜部（76）、及び第２傾斜部（79）を設けているが、これに代えて、エアガイド部（72）を次のように構成してもよい。ここでは、本変形例を上記実施形態１に適用した場合について説明する。
【００８５】
つまり、図９に示すように、薄板を湾曲させることでエアガイド部（72）を形成してもよい。この場合、エアガイド部（72）は、図９に現れる断面が下に凸となった円弧状の曲線を描くように形成される。具体的に、エアガイド部（72）は、図９における底部よりも左側の部分が第１傾斜部（76）を構成し、同図における底部よりも右側の部分が第２傾斜部（79）を構成している。第１傾斜部（76）では、エアガイド部（72）の第１の端部（73）へ近づくにつれて傾斜角α1が連続的に大きくなってゆく。一方、第２傾斜部（79）では、エアガイド部（72）の第２の端部（74）へ近づくにつれて傾斜角α2が連続的に大きくなってゆく。尚、この傾斜角は、図９におけるエアガイド部（72）の断面の接線が水平方向となす角度を意味する。
【図面の簡単な説明】
【図１】  実施形態１に係る室外機の外観及び内部構成を示す概略斜視図である。
【図２】  図１又は図３におけるＡ-Ａ断面を示す室外機の概略断面図である。
【図３】  図１又は図２におけるＢ-Ｂ断面を示す室外機の概略断面図である。
【図４】  図３の要部を示す室外機の概略断面図である。
【図５】  実施形態１に係る室外機の構成を模式的に示す概略構成図である。
【図６】  実施形態２に係る室外機の外観及び内部構成を示す概略斜視図である。
【図７】  図６又は図８におけるＣ-Ｃ断面を示す室外機の概略断面図である。
【図８】  図６又は図７におけるＤ-Ｄ断面を示す室外機の概略断面図である。
【図９】  その他の実施形態における図４相当図である。
【符号の説明】
（10）  ケーシング
（11）  背面部
（23）  第１側面吹出口
（25）  第２側面吹出口
（26）  吸込口
（30）  熱交換器
（46）  セパレータ板
（51）  第１送風機
（55）  第２送風機
（61）  第１空気通路
（62）  第２空気通路
（63）  主空気通路
（64）  副空気通路
（70）  通路形成板（通路形成部材）
（72）  エアガイド部（仕切り部）
（73）  第１の端部
（74）  第２の端部
（76）  第１傾斜部
（79）  第２傾斜部
【図１】
0003680148.tif 000002
【図２】
0003680148.tif 000003
【図３】
0003680148.tif 000004
【図４】
0003680148.tif 000005
【図５】
0003680148.tif 000006
【図６】
0003680148.tif 000007
【図７】
0003680148.tif 000008
【図８】
0003680148.tif 000009
【図９】
0003680148.tif 000010